(57)【要約】【課題】  磁気テープの長尺化に伴ってカートリッジケースが大きくなることを抑制することができる磁気テープカートリッジを提供する。【解決手段】  磁気テープＴと、磁気テープＴを巻回した一対のハブ１２ａ，１２ｂと、一対のハブ１２ａ，１２ｂを収容するカートリッジケース１１とを備え、一対のハブ１２ａ，１２ｂに磁気テープＴを同じ長さだけそれぞれ巻回したときに、一対のハブ１２ａ，１２ｂの間で、一対のハブ１２ａ，１２ｂのそれぞれに巻き重ねられた磁気テープＴの外周面同士の間隔Ｓが最小になるように、一対のハブ１２ａ，１２ｂが配置されている。【選択図】  図１
2005259191.tif 000002
【特許請求の範囲】
【請求項１】
磁気テープと、
前記磁気テープを巻回した一対のハブと、
前記一対のハブを収容するカートリッジケースとを備え、
前記一対のハブに前記磁気テープを同じ長さだけそれぞれ巻回したときに、前記一対のハブの間で、該一対のハブのそれぞれに巻き重ねられた前記磁気テープの外周面同士の間隔が最小になるように、前記一対のハブが配置されていることを特徴とする磁気テープカートリッジ。
【請求項２】
前記磁気テープの全長をＬとし、前記磁気テープの厚みをｔとし、前記ハブの半径をｒとしたとき、前記一対のハブ同士の間隔Ｄが、
Ｄ＝２√（Ｌｔ／２π＋ｒ2）＋α（αは、公差）
で表されることを特徴と請求項１に記載の磁気テープカートリッジ。
【発明の詳細な説明】
【技術分野】
【０００１】
本発明は、磁気テープカートリッジに関し、特に、カートリッジケースの外形を小型化することができる磁気テープカートリッジに関する。
【背景技術】
【０００２】
コンピュータ等の大容量のデータをバックアップする外部記録媒体用の磁気テープカートリッジとしては、単一のテープリールに磁気テープを巻回する、所謂、１リール型の磁気テープカートリッジと、一対のテープリールに磁気テープを巻回する、所謂、２リール型の磁気テープカートリッジがある。
【０００３】
２リール型の磁気テープカートリッジは、磁気記録再生装置側に、磁気テープの巻き取りや送り出しを行うテープリールが不要であるため、該磁気記録再生装置の内部における磁気テープの走行系を簡略化することができる。
【０００４】
【特許文献１】特開２００４−００５８０８号公報
【発明の開示】
【発明が解決しようとする課題】
【０００５】
ところで、現在、コンピュータ等で処理されるデータ容量の増大に伴い、磁気テープの記録容量を拡大するため、磁気テープの長尺化が提案されている。
【０００６】
しかし、従来のような２リール型の磁気テープカートリッジでは、磁気テープが長尺化すると、磁気テープをリールに巻回した際の磁気テープの巻き径が大きくなるため、径の大きいテープリールを設ける必要がある。すると、一対のテープリールのそれぞれの径を拡大させることで、これら一対のテープリールを収容するカートリッジケースの外形寸法が大きくなることが避けられない点で改善の余地があった。
【０００７】
本発明は、上記事情に鑑みてなされたもので、その目的は、磁気テープの長尺化に伴ってカートリッジケースが大きくなることを抑制することができる磁気テープカートリッジを提供することにある。
【課題を解決するための手段】
【０００８】
本発明の上記目的は、磁気テープと、磁気テープを巻回した一対のハブと、一対のハブを収容するカートリッジケースとを備え、一対のハブに磁気テープを同じ長さだけそれぞれ巻回したときに、一対のハブの間で、該一対のハブのそれぞれに巻き重ねられた磁気テープの外周面同士の間隔が最小になるように、一対のハブが配置されていることを特徴とする磁気テープカートリッジによって達成される。
【０００９】
上記磁気テープカートリッジは、従来の磁気テープカートリッジにおけるテープリールを用いる構造ではなく、フランジが形成されていないハブを用いる構造である。また、一対のハブに磁気テープを同じ長さだけそれぞれ巻回すると、磁気テープの全長の約半分が各ハブに巻回された状態となり、磁気テープが巻回された各ハブの巻き径が等しくなる。このとき、一対のハブの間で、該一対のハブのそれぞれに巻き重ねられた磁気テープの外周面同士の間隔をできるだけ小さくすれば、磁気テープの走行時において各ハブに巻回される磁気テープ同士が互いに摺接するといった干渉をすることなく、一対のハブ同士の間隔を最小に設定することができる。
【００１０】
上記磁気テープカートリッジは、磁気テープの全長をＬとし、磁気テープの厚みをｔとし、ハブの半径をｒとしたとき、一対のハブ同士の間隔Ｄが、
Ｄ＝２√（Ｌｔ／２π＋ｒ2）＋α（αは、公差）
で表されることが好ましい。
【発明の効果】
【００１１】
本発明によれば、磁気テープの長尺化に伴ってカートリッジケースが大きくなることを抑制することができる磁気テープカートリッジを提供できる。
【発明を実施するための最良の形態】
【００１２】
以下、図１から図３を参照して、本発明の実施形態を図面に基づいて詳しく説明する。
図１は、本発明に係る磁気テープカートリッジにおいて、一方のハブに磁気テープを巻回させた状態を示す透視平面図である。図２は、図１の磁気テープカートリッジにおいて、他方のハブに磁気テープを巻回させた状態を示す透視平面図である。図３は、図１及び図２の磁気テープカートリッジにおいて、各ハブに同じ長さだけ磁気テープを巻回させた状態を示す透視平面図である。
【００１３】
磁気テープカートリッジ１０は、磁気テープＴと、磁気テープＴを巻回した一対のハブ１２ａ，１２ｂと、これら一対のハブ１２ａ，１２ｂを収容するカートリッジケース１１とを備えている。
【００１４】
磁気テープＴは、長手方向における両方の端部がそれぞれ一対のハブ１２ａ，１２ｂに支持されている。
【００１５】
ハブ１２ａ，１２ｂは、それぞれ円筒形状を有し、カートリッジケース１１の内部で回動可能に支持されている。ハブ１２ａ，１２ｂは、回動することでその外周面に磁気テープＴを巻き重ねる構成である。
【００１６】
また、ハブ１２ａ，１２ｂには、図示しない磁気記録再生装置側のスピンドルが挿入されるスピンドル挿入部が形成されている。一対のハブ１２ａ，１２ｂは、スピンドルの回転とともに同じ方向に回動し、一対のハブ１２ａ，１２ｂの一方のハブから他方のハブへ磁気テープＴを搬送させる構成である。
【００１７】
本実施形態において、カートリッジケース１１は略八角形状の外形を有している。また、カートリッジケース１１には、開孔部１１ａが形成されている。
【００１８】
カートリッジケース１１には、一対のハブ１２ａ，１２ｂ同士の間を搬送される磁気テープＴを案内するガイド部１３が設けられている。本実施形態において、ガイド部１３は、カートリッジケース１１の開孔部１１ａの近傍に形成され、搬送される磁気テープＴが、開孔部１１ａにおいてカートリッジケース１１の外側に露呈するように、ガイド部１３によって支持されている。
【００１９】
磁気テープカートリッジ１０の記録再生時には、図示しない磁気記録再生装置側の磁気ヘッド１６を移動させ、開孔部１１ａから露呈した磁気テープＴに摺接させることで、該磁気テープＴに対して磁気記録再生が行われる。
【００２０】
図３に示すように、本実施形態の磁気テープカートリッジ１０は、一対のハブ１２ａ，１２ｂに磁気テープＴを同じ長さだけそれぞれ巻回したときに、一対のハブ１２ａ，１２ｂの間で、該一対のハブ１２ａ，１２ｂのそれぞれに巻き重ねられた磁気テープＴの外周面同士の間隔（以下、巻玉外周間隔という。）Ｓが最小になるように、一対のハブ１２ａ，１２ｂが配置されている構成である。
【００２１】
次に、上記巻玉外周間隔Ｓが最小になるように一対のハブ１２ａ，１２ｂを配置する場合、一対のハブ１２ａ，１２ｂ同士の間隔を得る手順を、図１及び図３を参照して説明する。
【００２２】
磁気テープＴの全長をＬとし、磁気テープＴの厚みをｔとする。また、一対のハブ１２ａ，１２ｂの半径をｒとし（つまり、図３において直径２ｒ）、一対のハブ１２ａ，１２ｂ同士の距離をＤとする。さらに、磁気テープＴを一方のハブ１２ａに巻きつけたときのテープ巻径をＲＡとし、磁気テープＴを他方のハブ１２ｂに巻きつけたときのテープ巻径をＲＢとする。ここで、距離Ｄは、各ハブ１２ａ，１２ｂそれぞれの回転軸同士の距離とする。また、テープ巻径とは、磁気テープが巻回されたハブの回転軸から該磁気テープの最外周面までの寸法を意味する。
【００２３】
このとき、巻玉外周間隔Ｓは、下記式（１）で表すことができる。
Ｓ＝Ｄ−（ＲＡ＋ＲＢ）      ・・・（１）
【００２４】
ハブ１２ａに巻かれた磁気テープの長さをｘとすると、ハブ１２ａのテープ巻径ＲＡは下記式（２）で表すことができ、また、ハブ１２ｂのテープ巻径ＲＢは、下記式（３）で表すことができる。
ＲＡ＝√（ｘｔ／π＋ｒ×ｒ）      ・・・（２）
ＲＢ＝√（（Ｌ−ｘ）ｔ／π＋ｒ×ｒ）      ・・・（３）
【００２５】
また、ｄＳ／ｄｘは下記式（４）で表すことができる。
ｄＳ／ｄｘ＝ｔ／π√（（Ｌ−ｘ）ｔ／π＋ｒ×ｒ）
−ｔ／π√（ｘｔ／π＋ｒ×ｒ）      ・・・（４）
【００２６】
ここで、ｄＳ／ｄｘ＝０となるｘの値を求める。上記式（４）より、
√（（Ｌ−ｘ）ｔ／π＋ｒ×ｒ）＝√（ｘｔ／π＋ｒ×ｒ）
が成り立ち、この等式から、ｘ＝Ｌ／２が得られる。こうして、ｘ＝Ｌ／２のとき、巻玉外周間隔Ｓが最小値となることがわかる。
【００２７】
従って、本実施形態の磁気テープカートリッジ１０では、ｘ＝Ｌ／２のときの巻玉外周間隔Ｓの値が最も小さくなる、つまり、巻玉外周間隔Ｓの値が０となるときの一対のハブ１２ａ，１２ｂ同士の距離をＤを求め、この距離Ｄに基づいて、本実施形態の磁気テープカートリッジ１０における一対のハブ１２ａ，１２ｂ（図１参照）を配置すればよい。
【００２８】
つまり、上記式（１）に、Ｓ＝０、及び、ｘ＝Ｌ／２して、下記式（５）で得られる距離Ｄに基づいて、本実施形態の磁気テープカートリッジ１０における一対のハブ１２ａ，１２ｂを配置する。
Ｄ＝２√（Ｌｔ／２π＋ｒ2）      ・・・（５）
【００２９】
磁気テープカートリッジ１０は、従来の磁気テープカートリッジにおけるテープリールを用いる構造ではなく、フランジが形成されていないハブ１２ａ，１２ｂを用いる構造である。また、一対のハブ１２ａ，１２ｂに磁気テープＴを同じ長さだけそれぞれ巻回すると、磁気テープＴの全長の約半分が各ハブに巻回された状態となり、磁気テープＴが巻回された各ハブ１２ａ，１２ｂの巻き径が等しくなる。このとき、一対のハブ１２ａ，１２ｂの間で、該一対のハブ１２ａ，１２ｂのそれぞれに巻き重ねられた磁気テープＴの外周面同士の間隔（巻玉外周間隔Ｓ）をできるだけ小さくすれば、磁気テープＴの走行時において各ハブ１２ａ，１２ｂに巻回される磁気テープＴ同士が互いに摺接するといった干渉をすることなく、一対のハブ１２ａ，１２ｂ同士の間隔を最小に設定することができる。
【００３０】
また、磁気テープカートリッジ１０は、磁気テープの全長をＬとし、磁気テープの厚みをｔとし、ハブの半径をｒとしたとき、一対のハブ同士の間隔Ｄが
Ｄ＝２√（Ｌｔ／２π＋ｒ2）となるように構成することが好ましい。また、Ｄには、公差αを加えることが好ましい。ここで、公差αは、上記Ｌ，ｔ，ｒの公差より適宜決定される。
【００３１】
本実施形態の磁気テープカートリッジ１０の一例としては、磁気テープＴの全長Ｌを５０ｍから１００ｍの範囲とし、磁気テープＴの厚みｔを０．００５ｍｍから０．０１５ｍｍの範囲とし、ハブ１２ａ，１２ｂの半径ｒを５ｍｍから１５ｍｍとしたとき、一対のハブ１２ａ，１２ｂ同士の間隔Ｄを２０．５ｍｍから７６．３ｍｍの範囲とすることができる。このとき、公差αとしては、０ｍｍから１ｍｍの範囲とした。
【００３２】
なお、本発明は、前述した実施形態に限定されるものではなく、適宜な変形、改良などが可能である。
例えば、磁気テープカートリッジ１０のカートリッジケース１１の外形は上記実施形態のように八角形状に限定されず、従来の磁気テープカートリッジのように長方体形状のカートリッジケースとしてもよい。しかし、上記実施形態の磁気テープカートリッジ１０のように八角形状のカートリッジケースとすることで、該カートリッジケースの内壁面全体をハブに巻回された磁気テープの外周面により近づけることができ、カートリッジケースをより小型化することができる。
【図面の簡単な説明】
【００３３】
【図１】本発明に係る磁気テープカートリッジにおいて、一方のハブに磁気テープを巻回させた状態を示す透視平面図である。
【図２】図１の磁気テープカートリッジにおいて、他方のハブに磁気テープを巻回させた状態を示す透視平面図である。
【図３】図１及び図２の磁気テープカートリッジにおいて、各ハブに同じ長さだけ磁気テープを巻回させた状態を示す透視平面図である。
【符号の説明】
【００３４】
１０    磁気テープカートリッジ
１１    カートリッジケース
１２ａ，１２ｂ    一対のハブ
ｒ    ハブの半径
ｔ    磁気テープの厚さ
Ｄ    ハブ同士の距離
Ｌ    磁気テープの全長
Ｓ    巻玉外周間隔
Ｔ    磁気テープ
【図１】
2005259191.tif 000003
【図２】
2005259191.tif 000004
【図３】
2005259191.tif 000005